(57)【要約】      （修正有）【課題】照明制御の自由度を高め、照明光を用いた高度な演出を行うことが可能な照明装置を提供する。【解決手段】ＣＰＵが、ディスプレイにカラーピッカーを表示してユーザーに色の指定を促すステップＳＴ１〜ＳＴ２と、ステップＳＴ１〜ＳＴ２で指定された色の色情報を、これに対応するデューティ比のＰＷＭ信号に色情報／ＰＷＭ変換回路により変換するステップＳＴ４と、ＰＷＭ信号のデューティ比に応じてＰＷＭ制御点灯回路によりＬＥＤ照明ユニットのＬＥＤを点灯制御するステップＳＴ５とを備えるようにした。【選択図】図３
2011222293.tif 000002
【特許請求の範囲】
【請求項１】
情報が与えられると、この情報を色情報に変換する制御手段と、
上記制御手段から色情報が与えられると、この色情報に応じた色の照明光を発する少なくとも１以上の照明手段とを備えることを特徴とする照明装置。
【請求項２】
制御手段は、
照明光の色について色見本を提示する表示手段をさらに備えるとともに、
上記表示手段に表示された色見本により色の指定を促し、上記色が指定されると、この指定された色を色情報に変換することを特徴とする請求項１記載の照明装置。
【請求項３】
照明手段は、
光の３原色の照明光をそれぞれ発する発光ダイオードを備え、これらの発光ダイオードにより色情報に応じた色の照明光を生成して発することを特徴とする請求項１記載の照明装置。
【請求項４】
制御手段は、
外部からの情報を取得する外部情報取得手段をさらに備えるとともに、
上記外部情報取得手段により取得された情報の少なくとも一部を色情報に変換することを特徴とする請求項１記載の照明装置。
【発明の詳細な説明】
【技術分野】
【０００１】
この発明は、ショーウィンドウやイベント会場その他の様々な空間において、演出に適した照明光を提供する照明装置の分野に係るものである。
【背景技術】
【０００２】
例えば特許文献１には、光源の投射方向前方に、気体と液体とを注入した演出体を可動自在に配置し、液体の影を写し出す照明装置が開示されている。この例では、演出体により、液体の泡立ちや波紋、揺らめきを写し出し、照明による演出効果を高めている。
【先行技術文献】
【特許文献】
【０００３】
【特許文献１】特開平６−１１１６０２号公報
【発明の概要】
【発明が解決しようとする課題】
【０００４】
従来の照明装置は以上のような構成なので、照明制御の自由度が低く、照明光を用いた高度な演出を行うことができないという課題があった。
【０００５】
この発明は上記のような課題を解決するためになされたものであり、照明制御の自由度を高め、照明光を用いた高度な演出を行うことが可能な照明装置を提供することを目的とする。
【課題を解決するための手段】
【０００６】
請求項１記載の照明装置は、情報が与えられると、この情報を色情報に変換する制御手段と、上記制御手段から色情報が与えられると、この色情報に応じた色の照明光を発する少なくとも１以上の照明手段とを備えるようにしたものである。
【０００７】
請求項２記載の照明装置は、制御手段は、照明光の色について色見本を提示する表示手段をさらに備えるとともに、上記表示手段に表示された色見本により色の指定を促し、上記色が指定されると、この指定された色を色情報に変換するようにしたものである。
【０００８】
請求項３記載の照明装置は、照明手段は、光の３原色の照明光をそれぞれ発する発光ダイオードを備え、これらの発光ダイオードにより色情報に応じた色の照明光を生成して発するようにしたものである。
【０００９】
請求項４記載の照明装置は、制御手段は、外部からの情報を取得する外部情報取得手段をさらに備えるとともに、上記外部情報取得手段により取得された情報の少なくとも一部を色情報に変換するようにしたものである。
【発明の効果】
【００１０】
以上のように、請求項１記載の照明装置によれば、情報が与えられると、この情報を色情報に変換する制御手段と、上記制御手段から色情報が与えられると、この色情報に応じた色の照明光を発する少なくとも１以上の照明手段とを備えるようにしたので、照明制御の自由度を高め、照明光を用いた高度な演出が可能になるという効果が得られる。
【００１１】
請求項２記載の照明装置によれば、制御手段は、照明光の色について色見本を提示する表示手段をさらに備えるとともに、上記表示手段に表示された色見本により色の指定を促し、上記色が指定されると、この指定された色を色情報に変換するようにしたので、照明手段が発する照明光の色の指定が直感的かつ容易になるという効果が得られる。
【００１２】
請求項３記載の照明装置によれば、照明手段は、光の３原色の照明光をそれぞれ発する発光ダイオードを備え、これらの発光ダイオードにより色情報に応じた色の照明光を生成して発するようにしたので、照明手段の照明光をリアルタイム制御できるという効果が得られる。
【００１３】
請求項４記載の照明装置によれば、制御手段は、外部からの情報を取得する外部情報取得手段をさらに備えるとともに、上記外部情報取得手段により取得された情報の少なくとも一部を色情報に変換するようにしたので、外部からの情報にマッチした自由度の高い演出を行うことができるという効果が得られる。
【図面の簡単な説明】
【００１４】
【図１】この発明の実施の形態１による照明装置の構成を示す図である。
【図２】この発明の実施の形態１による照明装置のハードウェア構成を示すブロック図である。
【図３】この発明の実施の形態１による照明装置の動作を示すフローチャートである。
【図４】この発明の実施の形態１による照明装置の効果を説明するための図である。
【図５】この発明の実施の形態１による照明装置のバリエーションの一例を示す図である。
【図６】この発明の実施の形態１による照明装置のバリエーションの一例を示す図である。
【発明を実施するための形態】
【００１５】
以下、図面を参照しつつ、この発明の実施の形態を説明する。なお、各図面では、同一の構成または相当する構成については同一の符号を付す。
実施の形態１．
図１は、この発明の実施の形態１による照明装置の構成を示す。
図１において、１０はコンピュータ、２０はコンピュータ１０によりリアルタイム制御されるＬＥＤ照明ユニットである。
【００１６】
また、コンピュータ１０において、１１はディスプレイ、１１ｃはディスプレイ１１上に表示されたカラーピッカー、１２はマウスやタッチパッドなどの入力デバイス、１２ｃ  はカラーピッカー１１ｃ上の特定の色を指定する入力デバイス１２のカーソルである。
カラーピッカー１１ｃは、照明装置のユーザーに対し、ＬＥＤ照明ユニット２０の照明光について色見本を提示するものであり、色相・明度・彩度の色情報をそれぞれ変化させた多彩な色見本から構成されている。
【００１７】
図２はこの発明の実施の形態１による照明装置のハードウェア構成を示すブロック図である。
図２において、１３はＬＥＤ制御プログラムを実行するＣＰＵ，１４はＬＥＤ制御プログラムが格納されるＲＯＭ，１５はＬＥＤ制御プログラムを読み出すＲＡＭ，１６はコンピュータ１０の通信インターフェース、２１はＬＥＤ照明ユニット２０の通信インターフェース、２２は通信インターフェース２１で受信した色情報をＰＷＭ信号に変換する色情報／ＰＷＭ変換回路、２３はＰＷＭ信号のデューティ比に応じてスイッチング動作するＰＷＭ制御点灯回路、２４は赤・緑・青などの各素子などからなるＬＥＤである。
【００１８】
次に動作について説明する。
図３はこの発明の実施の形態１による照明装置の動作を示すフローチャートである。
ＬＥＤ制御プログラムを実行すると、まず、ＣＰＵ１３は、ディスプレイ１１にカラーピッカー１１ｃを表示してユーザーに色の指定を促す（ステップＳＴ１）。
【００１９】
そして、ユーザーが入力デバイス１２を用いてカーソル１２ｃによりカラーピッカー１１ｃ上の特定の色を指定すると（ステップＳＴ２でＹＥＳ）、ＣＰＵ１３は、このカーソル１２ｃの位置に対応する色情報を取得し、通信インターフェース１６を介してＬＥＤ照明ユニット２０へ色情報を伝送する（ステップＳＴ３）。
【００２０】
コンピュータ１０からＬＥＤ照明ユニット２０へ伝送された色情報は、通信インターフェース２１により受信され、続いて色情報／ＰＷＭ変換回路２２により、受信した色情報に対応するデューティ比のＰＷＭ信号に変換される（ステップＳＴ４）。ＰＷＭ制御点灯回路２３はＰＷＭ信号のデューティ比に応じてスイッチング動作するので、ＬＥＤ２４の赤・緑・青の各素子を流れる電流がスイッチング動作によりＯＮ／ＯＦＦ制御され、ＬＥＤ２４が点灯制御される（ステップＳＴ５）。
【００２１】
こうして、例えば図４（ａ）〜（ｃ）に示すように、カラーピッカー１１ｃ上の特定の色を持つセルｘ〜ｚをカーソル１２ｃにより指定すると、ＬＥＤ照明ユニット２０は、セルｘ〜ｚに対応した色の照明光Ｌｘ〜Ｌｙを発するようになり、カーソル１２ｃを操作することにより、照明制御の自由度を高め、照明光を用いた高度な演出を可能としている。
【００２２】
また、ＬＥＤ２４は半導体なのでＰＷＭ信号に対し高速応答するため、カーソル１２ｃの動きによってＬＥＤ照明ユニット２０の照明光の色をリアルタイム制御できるようになっている。
【００２３】
また、カラーピッカー１１ｃをディスプレイ１１に表示することにより、ユーザーはＬＥＤ照明ユニット２０の照明光の色を直感的な視覚により容易に指定できる。
【００２４】
以上のように、この実施の形態１によれば、ＣＰＵ１３が、ディスプレイ１１にカラーピッカー１１ｃを表示してユーザーに色の指定を促すステップＳＴ１〜ＳＴ２と、ステップＳＴ１〜ＳＴ２で指定された色の色情報を、これに対応するデューティ比のＰＷＭ信号に色情報／ＰＷＭ変換回路２２により変換するステップＳＴ４と、ＰＷＭ信号のデューティ比に応じてＰＷＭ制御点灯回路２３によりＬＥＤ照明ユニット２０のＬＥＤ２４を点灯制御するステップＳＴ５とを備えるようにしたので、カーソル１２ｃを操作することにより、照明制御の自由度を高め、照明光を用いた高度な演出が可能になり、ＬＥＤ照明ユニット２０の照明光をリアルタイム制御できるという効果が得られ、また、カラーピッカー１１ｃにより、ＬＥＤ照明ユニット２０が発する照明光の色の指定が直感的かつ容易になるという効果が得られる。
【００２５】
なお、この発明は、セルｘ〜ｚなどから構成されるカラーピッカー１１ｃに限定されるものではなく、ユーザーに対して適切な色見本を提示するものであれば、カラーピッカー１１ｃ以外のものであっても良い。
【００２６】
また、この発明は、ケーブルを使った有線接続による色情報の伝送に限定されるものではなく、例えばＺＩＧＢＥＥ（登録商標）を用いた無線接続により色情報を伝送しても良い。
【００２７】
さらに、この発明は、１台のコンピュータ１０と１台のＬＥＤ照明ユニット２０に限定されるものではなく、１台のコンピュータ１０に対して２台以上のＬＥＤ照明ユニット２０をリアルタイム制御するようにしても良い。
【００２８】
さらに、この発明は、マウスやタッチパッドなどの入力デバイス１２による色指定に限定されるものではなく、この他にもタッチパネルやトラックボール、ジョイスティック、ペンタブレット、キーボードなどにより色指定を行うようにしても良い。
【００２９】
さらに、この発明は、カラーピッカー１１ｃおよびカーソル１２ｃによる色指定に限定されるものではなく、これ以外の方法によって照明装置の外部から得られる情報に応じて色指定を行うようにしても良い。
【００３０】
例えば、図５に示すように、演出用に流すバックグラウンドミュージックをコンピュータ１０が周波数解析し、その結果得られたサウンドスペクトル１１ｓの所定の周波数領域におけるレベルに応じて色を指定し、このレベルに応じた照明光ＬｗをＬＥＤ照明ユニット２０から発するようにリアルタイム制御しても良い。
【００３１】
また、この他にも、図示は省略するが、コンピュータ１０が演出用の映像をディスプレイ１１に表示し、この映像の変化に応じて色を指定して、ＬＥＤ照明ユニット２０の照明光をリアルタイム制御しても良い。
例えば、夕焼けの映像が表示された場合にはオレンジ色の照明光を、映像が青空に切り替わった場合には青色の照明光を、ＬＥＤ照明ユニット２０から発するようにする。このように、外部から得られる音楽情報や映像情報の少なくとも一部の変化に応じて照明光をリアルタイム制御することにより、音楽や映像のコンセプトにマッチした自由度の高い演出を行うことが可能となる。
【００３２】
さらに、この他にも、図６に示すように、コンピュータ１０にネットワーク３０やマイクロフォンなどの各種センサ４０を接続し、これらのネットワーク３０や各種センサ４０を介して外部から得られるネット情報やセンシング情報に応じて色指定を行い、ＬＥＤ照明ユニット２０の照明光をリアルタイム制御しても良い。
【００３３】
例えば、メール着信や株価変動などの情報がネットワーク３０から得られた場合にはアラート的に照明光を発したり、ネットワーク３０から得られる天気予報情報が晴れのときには赤の照明光、雨のときには青の照明光、曇りのときには白の照明光とするなど、天気予報情報に照明光を連動させても良い。
【００３４】
また、例えば、マイクロフォンで検出される騒音変化や、人感センサで検出される人の動作、温度センサで検出される気温変化、二酸化炭素センサで検出される二酸化炭素の濃度変化など、各種センサ４０で検出された各センシング情報に照明光を連動させても良いし、さらに、例えば、図示は省略するが、コンピュータ１０が、インストールされたスケジュール管理ソフトから逐次通知される各スケジュール情報にＬＥＤ照明ユニット２０の照明光を連動させても良い。
【符号の説明】
【００３５】
１０  コンピュータ（制御手段、外部情報取得手段）、１１  ディスプレイ（表示手段）、１２  入力デバイス、１２ｃ  カーソル、２０  ＬＥＤ照明ユニット（照明手段）、１１ｃ  カラーピッカー（色見本）、ｘ，ｙ，ｚ  セル、Ｌｘ，Ｌｙ，Ｌｚ，Ｌｗ  照明光、１３  ＣＰＵ，１４  ＲＯＭ，１５  ＲＡＭ，１６，２１  通信インターフェース、２２  色情報／ＰＷＭ変換回路、２３  ＰＷＭ制御点灯回路、２４  ＬＥＤ，３０  ネットワーク（外部情報取得手段）、４０  各種センサ（外部情報取得手段）。
【図１】
2011222293.tif 000003
【図２】
2011222293.tif 000004
【図３】
2011222293.tif 000005
【図４】
2011222293.tif 000006
【図５】
2011222293.tif 000007
【図６】
2011222293.tif 000008